(57)【要約】      （修正有）【課題】安定して支持し、傾けて使用する際に脚部が地面から離れることなく、使用がより安全で、より使い心地のよい、角度を調整できる杖を提供する。【解決手段】支柱１と、脚部２とを有し、脚部は、上端に、上方に突出する凸部２１を有し、凸部には、開口が上方に向いている凹穴２２が設けられ、凹穴には、上端が支柱と接続される圧縮ばね３が固設され、支柱は、下端に、上下移動できる調整部材４が設けられ、調整部材が下方に移動されて脚部と合わせられると、支柱の傾動が抑制され、調整部材が上方に移動されて脚部から離されると、支柱が圧縮ばねの変形によって脚部に対して揺動でき、使用角度の調整ができる。本発明では、支柱の下端と脚部とを圧縮ばねで接続することで、支柱が脚部に対して揺動可能となる。また、支柱の下端に上下移動できる調整部材を設けることで、調整部材によって支柱の揺動又は固定の動作状態を制御する。【選択図】図１
2018079324.tif 000002
【特許請求の範囲】
【請求項１】
角度を調整できる杖であって、
支柱（１）と、脚部（２）とを有し、
前記脚部（２）は、
上端に、上方に突出する凸部（２１）を有し、
前記凸部（２１）には、開口が上方に向いている凹穴（２２）が設けられ、
前記凹穴（２２）には、上端が前記支柱（１）と接続される圧縮ばね（３）が固設され、
前記支柱（１）は、
下端に、上下移動できる調整部材（４）が設けられ、
前記調整部材（４）が下方に移動されて前記脚部（２）と合わせられると、前記支柱（１）の傾動が抑制され、
前記調整部材（４）が上方に移動されて前記脚部（２）から離されると、前記支柱（１）が前記圧縮ばね（３）の変形によって前記脚部（２）に対して揺動でき、使用角度の調整ができる
ことを特徴とする角度を調整できる杖。
【請求項２】
請求項１に記載の角度を調整できる杖であって、
前記調整部材（４）は、スリーブ構造であり、
前記調整部材（４）の内径は、前記凸部（２１）の外径より大きく、
前記脚部（２）は、上端に、前記調整部材（４）の下端縁と当接して合わさる平面（２３）を有する
ことを特徴とする角度を調整できる杖。
【請求項３】
請求項１又は２に記載の角度を調整できる杖であって、
前記調整部材（４）には、雌ねじ（４１）が設けられ、
前記雌ねじ（４１）と、前記支柱（１）の下端における雄ねじ（５）とが螺合する
ことを特徴とする角度を調整できる杖。
【請求項４】
請求項３に記載の角度を調整できる杖であって、
前記雄ねじ（５）は、前記支柱（１）の下端に被嵌されて固定連結される連結管（６）に設けられ、
前記連結管（６）内には、前記支柱（１）の下端縁と当接する位置止め部（６１）が設けられる
ことを特徴とする角度を調整できる杖。
【請求項５】
請求項１又は２に記載の角度を調整できる杖であって、
前記凸部（２１）の上端には、前記支柱（１）が前記脚部（２）に対して揺動するための空間を提供する沈み穴（２４）が設けられ、
前記沈み穴（２４）と前記凹穴（２２）が連通し、
前記支柱（１）の下端が、前記沈み穴（２４）内に延伸する
ことを特徴とする角度を調整できる杖。
【発明の詳細な説明】
【技術分野】
【０００１】
本発明は、生活用具に関し、特に支持を補助する杖に関する。
【背景技術】
【０００２】
杖は歩行を補助する用具であり、主に支柱と支柱の両端にそれぞれ設けられる把持部及び脚部を含む。従来の杖は硬性的一体式のものである。即ち、把持部及び脚部と支柱の両端とがいずれも硬い連結構造で固定されている。このような構造は、実際の使用時に問題があり、とりわけ杖に支持されて起きる際に、一般的に杖の脚部が傾いて、一部が地面から離れるため、地面との接触面積が小さくなり、支持が不安定となって、滑りやすく、不意な事故が生じてしまう。
【０００３】
また、把持部及び脚部と支柱の両端とがいずれも硬い連結構造で固定されているため、使用時に脚部の振動が手に伝わりやすく、使用時に不快感を与えてしまう。
【発明の概要】
【発明が解決しようとする課題】
【０００４】
本発明は、従来技術における課題を解決するためのものであり、安定して支持し、傾けて使用する際に脚部が地面から離れることなく、使用がより安全で、より使い心地のよい、角度を調整できる杖を提供することを目的とする。
【課題を解決するための手段】
【０００５】
上記課題を解決するために、本発明に係る角度を調整できる杖は、支柱と、脚部とを有し、前記脚部は、上端に、上方に突出する凸部を有し、前記凸部には、開口が上方に向いている凹穴が設けられ、前記凹穴には、上端が前記支柱と接続される圧縮ばねが固設され、前記支柱は、下端に、上下移動できる調整部材が設けられ、前記調整部材が下方に移動されて前記脚部と合わせられると、前記支柱の傾動が抑制され、前記調整部材が上方に移動されて前記脚部から離されると、前記支柱が前記圧縮ばねの変形によって前記脚部に対して揺動でき、使用角度の調整ができる。
【０００６】
上記杖において、前記調整部材は、スリーブ構造であり、前記調整部材の内径は、前記凸部の外径より大きく、前記脚部は、上端に、前記調整部材の下端縁と当接して合わさる平面を有する。
【０００７】
上記杖において、前記調整部材には、雌ねじが設けられ、前記雌ねじと、前記支柱の下端における雄ねじとが螺合する。
【０００８】
上記杖において、前記雄ねじは、前記支柱の下端に被嵌されて固定連結される連結管に設けられ、前記連結管内には、前記支柱の下端縁と当接する位置止め部が設けられる。
【０００９】
上記杖において、前記脚部は、多脚状であり、２本又は２本以上の接地脚を有する。
【００１０】
上記杖において、前記凸部の上端には、前記支柱が前記脚部に対して１８０度揺動するための空間を提供する沈み穴が設けられ、前記沈み穴と前記凹穴が連通し、前記支柱の下端が、前記沈み穴内に延伸する。
【００１１】
本発明では、支柱の下端と脚部とを圧縮ばねで接続することで、支柱が脚部に対して揺動可能となる。また、支柱の下端に上下移動できる調整部材を設けることで、調整部材によって支柱の揺動又は固定の動作状態を制御する。調整部材を下方に移動して脚部に合わせると、支柱の傾動が抑制される。逆に、調整部材を上方に移動して脚部から離すと、圧縮ばねの変形によって支柱が脚部に対して揺動でき、使用角度の調整が可能となる。杖に支持されて起きる際に、支柱が脚部に対して揺動することで安定的に回転し、人の立ち上がりに合わせることができる上に、脚部が地面と完全に接触している姿勢がそのまま保持されるので、安定した支持となり、滑ることなく、使用上さらに安全である。一方、前後揺動が不要な場合は、調整部材を移動して、支柱の揺動を抑制すればよく、構造が簡単で、使用上便利である。また、圧縮ばねは振動を緩和する機能を有するため、使用心地もよくなる。
【図面の簡単な説明】
【００１２】
【図１】本発明の好適な実施形態に係る角度を調整できる杖の構造を示す図である。
【図２】図１の実施形態における調整部材の構造を示す図である。
【図３】図１の実施形態における連結管の構造を示す図である。
【図４】本発明における揺動使用状態を示す図である。
【図５】本発明の他の実施形態に係る角度を調整できる杖の構造を示す図である。
【発明を実施するための形態】
【００１３】
本発明の目的、特徴及び効果について、以下、図面を参照してその思想、具体的構造及び技術的効果をさらに説明する。
【００１４】
図１、２、３、４、５は本発明の好適な実施形態の構造を示す図である。本発明は、角度を調整できる杖に関し、該杖は支柱１及び脚部２を有する。支柱１は、単一の直棒状体であってもよいし、伸縮できる棒状体の組合せであってもよい。脚部２は上端に上方に突出する凸部２１を有する。凸部２１には開口が上方に向いている凹穴２２が設けられる。凹穴２２には圧縮ばね３が固設される。圧縮ばね３は上端が支柱１と接続される。支柱１の下端には上下に移動できる調整部材４が設けられる。このように構成することで、調整部材４が下方に移動されて脚部２と合わせられると、支柱１の傾動が抑制される。逆に、調整部材４が上方に移動されて脚部２から離されると、支柱１が圧縮ばね３の変形によって脚部２に対して揺動し、使用角度の調整ができる。支柱１が傾動できる場合は、人の立ち上がりに合わせることができる上に、脚部２が地面と完全に接触している姿勢がそのまま保持されるので、安定した支持となり、滑ることなく、使用上さらに安全である。一方、前後揺動が不要な場合は、調整部材４を移動して、支柱１の揺動を抑制すればよく、構造が簡単で、使用上便利である。
【００１５】
図１、２、３、４に示すように、本実施形態において、調整部材４はスリーブ構造である。調整部材４の内径は凸部２１の外径より大きい。脚部２は上端に平面２３を有する。平面２３は調整部材４の下端縁と当接して合わさる。調整部材４がスリーブ構造であるため、３６０度の方向上の角度調整、安定した固定が得られる。調整部材４の内径を凸部２１の外径より大きく形成し、好ましくは凸部２１を円錐形状とすることで、調整部材４の上下移動、傾動角度の制御が可能となる。脚部２の上端の平面２３が調整部材４の下端縁と当接し合わさることで、面接触となり、支柱１の固定が安定したものとなる。
【００１６】
図１、２、３、４に示すように、本実施形態では、調整部材４内には雌ねじ４１が設けられる。雌ねじ４１と支柱１の下端における雄ねじ５とが螺合する。本実施形態では、雄ねじ５は連結管６に設けられる。連結管６は、支柱１の下端に被嵌されて固定連結される。連結管６内には位置止め部６１が設けられる。位置止め部６１は、支柱１の下端縁に当接する。このような構造は簡単で、組立て及び使用上便利である。時計回り又は反時計回りに調整部材４を回せば、上下移動できるので、製造コストが低く、メンテナンスも簡便である。
【００１７】
図１、４に示すように、本実施形態では、脚部２は、多脚状（動物の足状）であり、２本又は２本以上の接地脚（地面接触脚）を有し、いずれの接地脚も滑り防止機能を備えており、安定した支持となり、滑ることがないため、使用上さらに安全である。脚部２は円柱状で、底部に取替え可能な耐磨耗パットを有するものであってもよい。
【００１８】
本発明は、図１に示すように、調整部材４が下方に移動されてその下端縁が脚部２の平面２３と当接し、調整部材４と平面２３とが接触することで、支柱１の傾動が抑制される。一方、図４に示すように、調整部材４が上方に移動されて脚部２から離されると、調整部材４と平面２３との間に間隙が保たれ、且つ調整部材４の内径が凸部２１の外径より大きいため、可動量を有し、支柱１は、圧縮ばね３の変形によって脚部２に対して揺動し、傾動角度の調整ができる。人の立ち上がりに合わせることができる上に、脚部２の地面と完全に接触している姿勢がそのまま保持されるので、安定した支持となり、滑ることなく、使用上さらに安全で、快適である。
【００１９】
図５に示すように、本発明において、凸部２１は上端に沈み穴２４を有してもよい。沈み穴２４は凹穴２２と連通し、支柱１の下端は沈み穴２４中に延伸する。沈み穴２４は、支柱１が脚部２に対して揺動するための空間を提供する。この際、支柱１の下端と沈み穴２４との関係によって支柱１の揺動が定まる。支柱１を円形管とし、沈み穴２４を楕円形穴とすれば、支柱１の下端の外径が沈み穴２４の短軸辺に近接し、空間が限られるので、前後にのみ移動できるようになり、支柱１の脚部２に対する揺動が制限され、揺動の確保と有効な制御が可能となり、使用上安全である。
【００２０】
なお、以上で図示したのは本発明の好適な実施形態であり、本発明の実施範囲を限定するものではない。本発明の技術的思想に基づく均等な変更や修正、追加は、すべて本発明の権利範囲に含まれる。
【図１】
2018079324.tif 000003
【図２】
2018079324.tif 000004
【図３】
2018079324.tif 000005
【図４】
2018079324.tif 000006
【図５】
2018079324.tif 000007